(57)【要約】【課題】  テレビジョン放送を受信する機能を持つ場合において、受信処理や画像表示処理のために電池の残量がなくなって電話やメールの送受信ができなくなるような事態を未然に防止する。【解決手段】  ＣＰＵ１は、充電池２０から供給される電圧を検出し、その電圧が定格電圧の８０％より低下したことが検出されたときは、電圧の低下程度に応じて受信した地上波ディジタル放送の映像信号の画質を変化させて表示部１３に表示する。【選択図】  図１
2005109616.tif 000002
【特許請求の範囲】
【請求項１】
電話通信網との間で無線通信を行う通信手段と、
テレビジョン放送を受信する放送受信手段と、
電池から供給される電圧を検出する電圧検出手段と、
前記電圧検出手段によって前記電池の電圧が所定値より低下したことが検出されたときは、電圧の低下程度に応じて前記放送受信手段から得られる映像信号の画質を変化させて表示手段に表示する表示制御手段と、
を備えた通信端末装置。
【請求項２】
前記放送受信手段から得られるテレビジョン放送の映像信号を録画する録画手段をさらに備え、前記表示制御手段は、前記電圧検出手段によって前記電池から供給される電圧が前記所定値より低下したことが検出されたときは、電圧の低下程度に応じて前記録画手段から得られる再生映像信号の画質を変化させて表示手段に表示することを特徴とする請求項１記載の通信端末装置。
【請求項３】
前記表示制御手段は、映像信号の解像度を粗くする信号処理によって画質を変化させることを特徴とする請求項１又は２記載の通信端末装置。
【請求項４】
前記表示制御手段は、映像信号のフレーム数を間引きする信号処理によって画質を変化させることを特徴とする請求項１又は２記載の通信端末装置。
【請求項５】
前記電池から供給される電圧の低下程度に応じた画質の変化程度を操作に応じて設定する画質設定手段をさらに備えたことを特徴とする請求項１ないし４のいずれか１項記載の通信端末装置。
【請求項６】
通信網との間で無線通信を行うとともに、テレビジョン放送を受信可能な通信端末装置における信号処理のプログラムであって、
電池から供給される電圧を検出する第１のステップと、
前記第１のステップによって前記電池の電圧が所定値より低下したことが検出されたときは、電圧の低下程度に応じて受信したテレビジョン放送の映像信号の画質を変化させて表示手段に表示する第２のステップと、
を実行することを特徴とする信号処理のプログラム。
【請求項７】
受信したテレビジョン放送の映像信号を録画および再生する第３のステップをさらに有し、前記第２のステップは、前記第１のステップによって前記電池から供給される電圧が前記所定値より低下したことが検出されたときは、電圧の低下程度に応じて前記第３のステップによって得られる再生映像信号の画質を変化させて前記表示手段に表示することを特徴とする請求項６記載の信号処理のプログラム。
【請求項８】
前記第２のステップは、映像信号の解像度を粗くする信号処理によって画質を変化させることを特徴とする請求項６又は７記載の信号処理のプログラム。
【請求項９】
前記第２のステップは、映像信号のフレーム数を間引きする信号処理によって画質を変化させることを特徴とする請求項６又は７記載の信号処理のプログラム。
【請求項１０】
前記電池から供給される電圧の低下程度に応じた画質の変化程度を操作に応じて設定する第４のステップをさらに有することを特徴とする請求項６ないし９のいずれか１項記載の信号処理のプログラム。
【発明の詳細な説明】
【技術分野】
【０００１】
本発明は、通信端末装置およびその信号処理のプログラムに関し、特に、地上波ディジタル放送などのテレビジョン放送を受信可能な通信端末装置およびその信号処理のプログラムに関するものである。
【背景技術】
【０００２】
近年、携帯電話などの通信端末装置の機能に関するものとして、電話やメールの送受信の機能のほかに、地上波ディジタル放送などのテレビジョン放送を受信する機能やカメラ機能を新たに付加するという提案がいくつかなされている。
テレビジョン放送を受信する機能を付加するある提案の携帯型視聴装置は、地上波ディジタル放送を受信して符号化映像・音声データを取得するチューナと、符号化映像・音声データをメモリカード又は内蔵メモリに格納する手段と、メモリカード又は内蔵メモリから読み出した符号化映像・音声データおよびチューナから供給された符号化映像・音声データをデコードしてディスプレイ上に映像表示するとともに音声出力する手段と、電話機能部と、番組の視聴中に前記電話機能部で着信が生じたとき又はユーザが通話開始操作を行ったときに視聴中の番組の符号化映像・音声データを前記内蔵メモリに記録させる手段と、を備えた構成になっている。この構成により、電話による通話のために視聴中の番組で見られなかった部分が生じても、その部分については内蔵メモリへの録画処理が実行されていることになるので、後で視聴することが可能になる。（特許文献１参照）
【０００３】
また、テレビジョン放送を受信する機能を付加する他の提案の携帯電話機は、携帯電話網に対する送受信を行う送受信部と、地上波ディジタル放送を受信する地上波ディジタル放送受信部と、前記送受信部又は前記地上波ディジタル放送受信部からの動画像データをＭＰＥＧ−４規格により処理するＭＰＥＧ−４処理部と、前記ＭＰＥＧ−４処理部の処理結果に基づいて画像表示および音声出力を行う画像音声出力手段と、前記送受信部および前記地上波ディジタル放送受信部の受信内容に応じて前記ＭＰＥＧ−４処理部を制御する制御手段を備えた構成になっている。この構成により、送受信部と地上波ディジタル放送受信部のそれぞれにＭＰＥＧ−４処理部を設ける必要がないため、ＭＰＥＧ−４処理部の競合を生じることがなく、さらに部品増および重量増の低減によりコストアップを防止できるようになる。（特許文献２参照）
【０００４】
また、カメラ機能を付加するある提案の携帯端末装置は、画像に関する各種パラメータを任意に設定する画像パラメータ設定手段と、前記画像パラメータ設定手段により設定された画像パラメータに基づいて、カメラから入力される画像の加工処理を行う画像加工手段と、前記画像加工手段により加工処理された画像データを自電話の表示手段に表示する表示制御手段と、前記画像加工手段により加工処理された画像データを記憶する画像記憶手段と、を備えた構成になっている。この場合において、前記画像パラメータ設定手段は、画像サイズ、画像の色数、動画像のフレームレート、画像の圧縮率をそれぞれ任意に設定する。この構成により、ユーザ所望の画像品質、すなわち、画像サイズ、色数、フレームレート、圧縮率を実現することが可能になる。（特許文献３参照）
【特許文献１】特開２００３−１１１００４号公報
【特許文献２】特開２００３−１５３１１１号公報
【特許文献３】特開２００２−２７１６７１号公報
【発明の開示】
【発明が解決しようとする課題】
【０００５】
携帯電話などの通信端末装置に地上波ディジタル放送などのテレビジョン放送を受信する機能を付加した場合には、放送を受信するチューナや画像を表示する表示部などにおいて消費する電力がかなり増加することになる。この結果、放送受信中の画像又は録画した画像に見入っているうちに電池の残量がなくなって、本来の機能である電話やメールの送受信ができなくなり、大事な用件の連絡ができなくなるおそれが十分あり得る。この対策として、装置に搭載する電池の容量を大きくすることが考えられるが、容量を大きくすると形状が大きくなり重量も増加するので小型軽量の妨げになる上、コストアップを招くことになってしまう。上記特許文献１および特許文献２には、この点について言及されてはおらず、したがってその対策についても何ら記載されていない。
【０００６】
一方、上記特許文献３においては、画像サイズ、色数、フレームレート、圧縮率をユーザの操作によって任意に設定する構成になっているが、このような画像の加工処理と電池の残量との関係については何ら記載されていない。すなわち、画像を表示する表示部であるＬＣＤによって多くの電力が消費されることになるが、設定された画像パラメータは、ユーザの操作で変更されない限り電池の残量に関係なく固定された状態になってしまう。
本発明は、上記従来の課題を解決するためのものであり、地上波ディジタル放送などのテレビジョン放送を受信する機能を持つ通信端末装置において、電池の残量がなくなって電話やメールの送受信ができなくなるような事態を未然に防止することを目的とする。
【課題を解決するための手段】
【０００７】
請求項１記載の通信端末装置は、電話通信網との間で無線通信を行う通信手段（実施形態においては、図１のＲＦブロック４に相当する）と、テレビジョン放送を受信する放送受信手段（実施形態においては、図１のチューナ５、ＯＦＤＭ復調部６、映像復号部７、および音声復号部８からなるテレビ受像部に相当する）と、電池（実施形態においては、図１の充電池２０に相当する）から供給される電圧を検出する電圧検出手段（実施形態においては、図１のＣＰＵ１に相当する）と、電圧検出手段によって電池の電圧が所定値（実施形態においては、定格電圧の８０％に相当する）より低下したことが検出されたときは、電圧の低下程度に応じて放送受信手段から得られる映像信号の画質を変化させて表示手段（実施形態においては、図１の表示部１３に相当する）に表示する表示制御手段（実施形態においては、図１のＣＰＵ１に相当する）と、を備えた構成になっている。
【０００８】
請求項１の通信端末装置において、請求項２に記載したように、放送受信手段から得られるテレビジョン放送の映像信号を録画する録画手段（実施形態においては、メモリカードドライバ１１に相当する）をさらに備え、表示制御手段は、電圧検出手段によって電池から供給される電圧が所定値より低下したことが検出されたときは、電圧の低下程度に応じて録画手段から得られる再生映像信号の画質を変化させて表示手段に表示するような構成にしてもよい。
また、請求項１の通信端末装置において、請求項３に記載したように、表示制御手段は、映像信号の解像度を粗くする信号処理によって画質を変化させるような構成にしてもよい。
また、請求項１の通信端末装置において、請求項４に記載したように、表示制御手段は、映像信号のフレーム数を間引きする信号処理によって画質を変化させるような構成にしてもよい。
また、請求項１の通信端末装置において、請求項５に記載したように、電池から供給される電圧の低下程度に応じた画質の変化程度を操作に応じて設定する画質設定手段（実施形態においては、図１のスイッチ部９およびＣＰＵ１に相当する）をさらに備えたような構成にしてもよい。
【０００９】
請求項６に記載の信号処理のプログラムは、通信網との間で無線通信を行うとともに、テレビジョン放送を受信可能な通信端末装置における信号処理のプログラムであって、
電池から供給される電圧を検出する第１のステップと、第１のステップによって電池の電圧が所定値（実施形態においては、定格電圧の８０％に相当する）より低下したことが検出されたときは、電圧の低下程度に応じて受信したテレビジョン放送の映像信号の画質を変化させて表示手段（実施形態においては、図１の表示部１３に相当する）に表示する第２のステップと、を実行するような構成になっている。なお、実施形態においては、第１のステップは、図３のステップＳＡ２３における処理に相当し、第２のステップは、図３のステップＳＡ２４からステップＳＡ２８までの処理に相当する。
【００１０】
請求項６の信号処理のプログラムにおいて、請求項７に記載したように、受信したテレビジョン放送の映像信号を録画および再生する第３のステップをさらに有し、第２のステップは、第１のステップによって電池から供給される電圧が所定値より低下したことが検出されたときは、電圧の低下程度に応じて第３のステップによって得られる再生映像信号の画質を変化させて表示手段に表示するような構成にしてもよい。なお、実施形態においては、第３のステップの録画処理は、図８のステップＳＢ５ないしステップＳＢ８、並びに、ステップＳＢ１９およびステップＳＢ２０に相当し、第３のステップの再生処理は、図５のステップＳＡ４４およびステップＳＡ４５に相当する。
また、請求項６の信号処理のプログラムにおいて、請求項８に記載したように、第２のステップは、映像信号の解像度を粗くする信号処理によって画質を変化させるような構成にしてもよい。
また、請求項６の信号処理のプログラムにおいて、請求項９に記載したように、第２のステップは、映像信号のフレーム数を間引く信号処理によって画質を変化させるような構成にしてもよい。
また、請求項６の信号処理のプログラムにおいて、請求項１０に記載したように、電池から供給される電圧の低下程度に応じた画質の変化程度を操作に応じて設定する第４のステップをさらに有するような構成にしてもよい。なお、実施形態においては、第４のステップは、図７のステップＳＡ６６およびステップＳＡ６７に相当する。
【発明の効果】
【００１１】
本発明の通信端末装置およびその信号処理のプログラムによれば、地上波ディジタル放送などのテレビジョン放送を受信する機能を持つ場合において、受信処理や画像表示処理のために電池の残量がなくなって電話やメールの送受信ができなくなるような事態を未然に防止できるという効果が得られる。
【発明を実施するための最良の形態】
【００１２】
以下、本発明による通信端末装置の実施形態について、携帯電話を例に採って図を参照して説明する。
図１は、実施形態における携帯電話の構成を示す概略のブロック図である。
図において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、チューナ５、ＯＦＤＭ復調部６、映像復号部７、音声復号部８、スイッチ部９、カメラ１０、メモリカードドライバ１１、および、図には示していないが、パソコンとの間でコマンドやデータを送受信するためのＵＳＢインターフェースが接続されている。なお、図１において、点線で囲まれているチューナ５、ＯＦＤＭ復調部６、映像復号部７、および音声復号部８は、地上波ディジタル放送の映像・音声信号を取り込むテレビ受像部を構成している。また、ＣＰＵ１には、表示ドライバ１２を介して表示部１３およびサブ表示部１４が接続されているとともに、他のドライバ（図示せず）を介してマイク１３、スピーカ１６、イヤホン１７が接続されている。
【００１３】
ＲＯＭ２には、通信制御処理のプログラム、地上波ディジタル放送の受信処理や受信した映像信号を表示する表示処理および音声処理、受信した映像信号を録画する録画処理および再生処理などの信号処理のプログラム、イニシャライズにおけるデフォルト値などが格納されている。ＲＡＭ３は、ＣＰＵ１のワークエリアであり、ＣＰＵ１によって処理されるデータを一時的にストアするバッファエリア、各種のレジスタやフラグなどのエリア、表示部１３およびサブ表示部１４に表示すべき画面のデータをストアする表示エリアなどが設けられている。ＲＦブロック４は、電話通信網との間で電話やメールを送受信するための構成要素として、無線送受信部、無線信号処理部、音声信号処理部、加入者情報記憶部など（いずれも図示せず）を備えている。
【００１４】
チューナ５は、地上波ディジタル放送を受信して高周波増幅などの信号処理を行う。ＯＤＭＦ（直交周波数分割多重）復調部６は、チューナ５から得られるＯＦＤＭ変調された信号を復調する。ＯＦＤＭは、数百もの搬送波を用いた多搬送波変調方式であり、各搬送波が直交関係になっている。送信側すなわち放送局において、各搬送波に直並列変換した符号化データを割り当ててディジタル変調するので、通常のＦＤＭに比較して周波数利用効率が高くなる。ＯＤＭＦ復調部６は、このディジタル変調された信号を復調して、地上波ディジタル放送の映像（画像）および音声の符号化データを出力する。
【００１５】
映像復号部７は、ＯＤＭＦ復調部６から出力された映像の符号化データを復号してディジタル映像信号をＣＰＵ１に出力する。ＣＰＵ１は、表示ドライバ１２を介してそのディジタル映像信号を表示部１３に出力してテレビ画像を表示する。また、音声復号部８は、ＯＤＭＦ復調部６から出力された音声の符号化データを復号してディジタル音声信号をＣＰＵ１に出力する。ＣＰＵ１は、そのディジタル音声信号をアナログ信号に変換してスピーカ１６又はイヤホン１７に出力してテレビ音声を発生する。また、ＣＰＵ１はＲＦブロック４が着信を検知したときは、スピーカ１６によって着信報知を行うとともに、サブ表示部１４によって文字や画像の点滅などで着信報知を行う。
【００１６】
スイッチ部９は、携帯電話のためのオフフックスイッチ、オンフックスイッチ、発信スイッチ、カーソルスイッチ、ＯＫスイッチ、クリアスイッチ、数字スイッチなどのキースイッチ群で構成されており、その中のいくつかのスイッチが、テレビ用のテレビスイッチ、録画設定スイッチ、再生スイッチ、録画および再生の終了スイッチ、チャンネルスイッチなどと兼用されている。マイク１３は、通話処理においてユーザの音声を電気信号に変換してＣＰＵ１に入力する。カメラ１０は、レンズ、ＣＣＤ、バッファ、カメラスイッチ、シャッタスイッチ（いずれも図示せず）などで構成され、カメラスイッチがオンされるとＣＣＤによってレンズからの画像を撮像し、シャッタスイッチがオンされると、撮像した画像データをバッファにストアする。メモリカードドライバ１１は、着脱自在なメモリカードに対して地上波ディジタル放送の映像信号を録画し、音声信号を録音するとともに、再生処理においては、録画された映像信号および音声信号を読み出す。
【００１７】
この携帯電話は、ＣＰＵ１などの電子部品やスイッチ部９を収容する本体と、表示部１３、サブ表示部１４、カメラ１０などを収容する蓋部とが、ヒンジなどによって開閉可能な折りたたみ機構・電源制御スイッチ１８（以下、総称して「折りたたみスイッチ」という）を具備している。電源ＩＣ１９は、充電池２０からの電圧に応じて、この携帯電話の各部に電圧を供給する。ＣＰＵ１は、電源ＩＣ１９から出力される電圧を検出して、電圧が低下したときは、表示部１３に出力する映像信号の画質を制御する。ＡＣアダプタ２１は、ＡＣ電源を所定電圧のＤＣ電源に変換して充電池２０を充電する。
【００１８】
なお、電源ＩＣ１９は、チューナ５、ＯＦＤＭ復調部６、映像復号部７、および音声復号部８からなるテレビ受像部、表示部１３、およびＣＰＵ１を含むその他の各部に対して、３系統の独立した電圧を供給し、スイッチ部９や折りたたみスイッチの操作およびＣＰＵ１の制御によって、テレビ受像部、表示部１３およびサブ表示部１４に供給する電圧をそれぞれオン又はオフに設定することができる。オン又はオフに設定する処理については後述する。
【００１９】
次に、この携帯電話における電話およびメールの送受信の動作、並びに、地上波ディジタル放送受信および録画・再生の動作について、ＣＰＵ１によって実行されるフローチャートに基づいて説明する。図２ないし図７は、メインルーチンのフローチャートである。
まず、所定のイニシャライズを行って（ステップＳＡ１）、ＲＡＭ３の表示エリアに待受画面の画像データをストアする（ステップＳＡ２）。そして、折りたたみスイッチが開になったか否かを判別し（ステップＳＡ３）、このスイッチが開になったときは、表示部１３を点灯する（ステップＳＡ４）。表示部１３を点灯したときは、ＲＡＭ３の表示エリアにストアされている待受画面が表示ドライバ１２を介して表示部１３に転送されて表示される。
【００２０】
次に、オフフックスイッチが操作されたか否かを判別し（ステップＳＡ５）、このスイッチが操作されたときは、電話番号入力画面を表示する（ステップＳＡ６）。そして、スイッチ部９の操作によって電話番号の入力がされたか否かを判別し（ステップＳＡ７）、電話番号が入力されたときは電話網に対して発信する（ステップＳＡ８）。また、スピーカ１６によって呼出報知を行う（ステップＳＡ９）。この呼出報知の間に、発信に応答して被呼側との間に回線接続が確立したか否かを判別し（ステップＳＡ１０）、回線接続が確立したときは、通話処理に遷移して音声信号の送受信を行う（ステップＳＡ１１）。
【００２１】
通話処理においては、オンフックスイッチが操作されたか否かを判別し（ステップＳＡ１２）、このスイッチが操作されたときは、回線切断などの終話処理を行う（ステップＳＡ１３）。終話処理の後は、再び表示エリアに待受画面の画像データをストアする（ステップＳＡ１４）。ステップＳＡ７において電話番号の入力がない場合には、クリアスイッチがオンされたか否かを判別し（ステップＳＡ１５）、このスイッチがオンされたときは、ステップＳＡ１４に移行して、表示エリアに待受画面の画像データをストアして、ステップＳＡ３に移行して折りたたみスイッチの開閉を判別する。
【００２２】
ステップＳＡ３において、折りたたみスイッチが開から閉になったときは、表示部１３を消灯する（ステップＳＡ１６）。このとき、フラグＲＦが「１」であるか「０」であるかによって録画中であるか又は録画中でないかを判別する（ステップＳＡ１７）。ＲＦが「０」で録画中でない場合には、チューナ５、ＯＦＤＭ復調部６、映像復号部７、音声復号部８で構成されるテレビ受像部がオン状態であるか否かを判別し（ステップＳＡ１８）、オン状態である場合には、テレビ受像部をオフ状態にする（ステップＳＡ１９）。そして、表示エリアに待受画面の画像データをストアして（ステップＳＡ２０）、ステップＳＡ３に移行して折りたたみスイッチの開閉を判別する。
【００２３】
ステップＳＡ５において、オフフックスイッチが操作されない場合には、図３のフローチャートにおいて、テレビスイッチがオンされたか否かを判別し（ステップＳＡ２１）、このスイッチがオンされたときは、テレビ受像部をオンにする（ステップＳＡ２２）。次に、電池電圧を検出し（ステップＳＡ２３）、充電池２０の電圧レベルが定格値の０．８以上の範囲であるレベル３、定格値の０．８未満から０．５以上の範囲であるレベル２、定格値の０．５未満の範囲であるレベル１のうち、いずれの範囲であるかを判別する（ステップＳＡ２４）。レベル３の場合には、解像度を１００％に設定する（ステップＳＡ２５）。レベル２の場合には、解像度を８０％に設定する（ステップＳＡ２６）。レベル１の場合には、解像度を５０％に設定する（ステップＳＡ２７）。
【００２４】
解像度を設定した後は、テレビ受像部からの映像を表示部１３に表示し（ステップＳＡ２８）、テレビ受像部からのテレビ音声をスピーカ１６から出力する（ステップＳＡ２９）。そして、テレビスイッチがオフされたか否かを判別し（ステップＳＡ３０）、このスイッチがオフでない場合には、ステップＳＡ２３に移行して電池電圧を検出し、ステップＳＡ３０までのループを繰り返す。そして、電池の電圧レベルの範囲が前回検出した電圧レベルの範囲から変化した場合には、変化した電圧レベルに合わせて解像度を変更する。ステップＳＡ３０において、テレビスイッチがオフされたときは、テレビ受像部をオフにして（ステップＳＡ３１）、ＲＡＭ３の表示エリアに待受画面の画像データをストアする（ステップＳＡ３２）。そして、図２のステップＳＡ３に移行して折りたたみスイッチの開閉を判別する。
【００２５】
ステップＳＡ２１において、テレビスイッチがオンでない場合には、図４のフローチャートにおいて、録画設定スイッチがオンされたか否かを判別する（ステップＳＡ３３）。このスイッチがオンされたときは、表示部１３に録画設定画面を表示する（ステップＳＡ３４）。すなわち、録画時間（録画開始時刻および録画終了時刻）およびチャンネルを設定する画面を表示する。そして、スイッチ部９の操作に応じて録画時間およびチャンネルの設定処理を行う（ステップＳＡ３５）。次に、設定を確定するＯＫスイッチがオンされたか否かを判別し（ステップＳＡ３６）、このスイッチがオンされたときは、フラグＴＦを「１」にセットする（ステップＳＡ３７）。ＯＫスイッチがオンされない場合は、クリアスイッチがオンされたか否かを判別し（ステップＳＡ３８）、このスイッチがオンされたときは、設定している録画時間およびチャンネルをクリアする（ステップＳＡ３９）。フラグＴＦを「１」にセットした後、又は、録画時間およびチャンネルをクリアした後は、ＲＡＭ３の表示エリアに待受画面の画像データをストアする（ステップＳＡ４０）。そして、図２のステップＳＡ３に移行して折りたたみスイッチの開閉を判別する。
【００２６】
ステップＳＡ３３において、録画設定スイッチがオンでない場合には、図５のフローチャートにおいて、再生スイッチがオンされたか否かを判別し（ステップＳＡ４１）、このスイッチがオンされたときは、フラグＴＦが「０」かつフラグＲＦが「０」であるか否かを判別する（ステップＳＡ４２）。すなわち、録画設定中でなく、かつ録画中でないかどうかを判別する。ＴＦが「０」かつＲＦが「０」である場合には、さらに録画データがあるか否かを判別する（ステップＳＡ４３）。録画データがある場合には、再生処理を行う（ステップＳＡ４４）。そして、再生された映像を表示部１３に表示し（ステップＳＡ４５）、再生された音声をスピーカ１６に出力する（ステップＳＡ４６）。そして、終了スイッチがオンされたか否かを判別し（ステップＳＡ４７）、このスイッチがオンでない場合には、再生終了か否かを判別する（ステップＳＡ４８）。終了スイッチがオンされたとき又は再生終了の場合には、再生停止処理を行い（ステップＳＡ４９）、表示エリアに待受画面の画像データをストアする（ステップＳＡ５０）。そして、図２のステップＳＡ３に移行して折りたたみスイッチの開閉を判別する。
【００２７】
ステップＳＡ４１において、再生スイッチがオンでない場合、ステップＳＡ４２において、ＴＦが「１」で録画設定中若しくはＲＦが「１」で録画中である場合、又は、ステップＳＡ４３において録画データがなく、警告報知（ステップＳＡ５１）を行った後は、図６のフローチャートに移行して、ユーザ設定スイッチがオンされたか否かを判別する（ステップＳＡ５２）。このスイッチがオンされたときは、表示エリアにユーザ設定リスト画面をストアする（ステップＳＡ５３）。ユーザ設定リスト画面には、解像度設定、フレームレート設定、標準又は倍速の録画モード設定、およびその他の設定のリストが表示される。そして、所定のリストをフォーカスする（ステップＳＡ５４）。例えば、画面の一番上のリストをフォーカスして他のリストと異なる表示色に変える。
【００２８】
次に、カーソルスイッチがオンされたか否かを判別し（ステップＳＡ５５）、このスイッチがオンされたときは、フォーカス位置を移動する（ステップＳＡ５６）。そして、ＯＫスイッチがオンされたか否かを判別し（ステップＳＡ５７）、このスイッチがオンされたときは、フォーカス位置が解像度設定であるか否かを判別する（ステップＳＡ５８）。解像度設定である場合には、解像度設定画面を表示する（ステップＳＡ５９）。解像度設定画面には、電圧レベル３、電圧レベル２、電圧レベル１とともに、各電圧レベルにおける解像度の現在値が表示される。そして、電圧レベル３をフォーカスする（ステップＳＡ６０）。
【００２９】
ステップＳＡ５７において、ＯＫスイッチがオンでない場合には、クリアスイッチがオンされたか否かを判別し（ステップＳＡ６１）、このスイッチがオンでない場合には、ステップＳＡ５５においてカーソルスイッチのオンを判別するが、クリアスイッチがオンされたときは、表示エリアに待受画面の画像データをストアする（ステップＳＡ６２）。ステップＳＡ５８において、フォーカス位置が解像度設定でなく、その他のリストである場合には、フォーカス位置に応じてその他の処理を行い（ステップＳＡ６３）、表示エリアに待受画面の画像データをストアする（ステップＳＡ６２）。表示エリアに待受画面の画像データをストアした後、又は、ステップＳＡ５２において、ユーザ設定スイッチがオンでない場合、すなわち、いずれのスイッチもオンでない場合には、図２のステップＳＡ３に移行して、折りたたみスイッチの開閉を判別する。
【００３０】
図６のステップＳＡ６０において、電圧レベル３をフォーカスした後は、図７のフローチャートにおいて、カーソルスイッチがオンされたか否かを判別し（ステップＳＡ６４）、このスイッチがオンされたときは、フォーカス位置を移動する（ステップＳＡ６５）。すなわち、電圧レベル２、電圧レベル１とサイクリックにフォーカス位置を移動する。次に、データ入力がされたか否かを判別し（ステップＳＡ６６）、データ入力がされた場合には、フォーカスされた電圧レベルの解像度を変更する（ステップＳＡ６７）。解像度を変更した後、又は、データ入力がない場合、すなわち、解像度を変更しない場合には、ＯＫスイッチがオンされたか否かを判別する（ステップＳＡ６８）。このスイッチがオンでない場合には、ステップＳＡ６４に移行してカーソルスイッチのオンを判別する。ＯＫスイッチがオンされたときは、表示エリアに待受画面の画像データをストアする（ステップＳＡ６９）。そして、図２のステップＳＡ３に移行して、折りたたみスイッチの開閉を判別する。
【００３１】
図８は、タイマインタラプトのフローチャートである。一定時間（例えば、１００ｍｓｅｃ）ごとのタイマインタラプトに応じて現時刻を取得する（ステップＳＢ１）。そして、取得した時刻が前回の時刻から変化したか否かを判別する（ステップＳＢ２）。例えば、時刻変化の最小単位を１分とする。したがって、前回のタイマインタラプトの時刻から１分が経過したときに変化があったと判別する。変化がない場合にはメインルーチンに戻るが、変化があったときは、フラグＴＦが「１」すなわち録画設定中であるか否かを判別する（ステップＳＢ３）。ＴＦが「１」の場合には、取得した現時刻が録画開始時刻に達したか否かを判別する（ステップＳＢ４）。現時刻が録画開始時刻に達していない場合には、メインルーチンに戻る。
【００３２】
現時刻が録画開始時刻に達したときは、テレビ受像部をオンにして（ステップＳＢ５）、録画のフレームレートを１秒間に２４フレームに設定する（ステップＳＢ６）。そして、録画処理を開始して（ステップＳＢ７）、表示エリアに録画中画面をストアする（ステップＳＢ８）。また、ＴＦを「０」にリセットし、ＲＦを「１」すなわち録画中にセットする（ステップＳＢ９）。そして、メインルーチンに戻る。
【００３３】
ステップＳＢ３において、ＴＦが「０」である場合には、ＲＦが「１」であるか否かを判別する（ステップＳＢ１０）。ＲＦが「０」で録音中でない場合にはメインルーチンに戻るが、ＲＦが「１」で録音中である場合には、取得した現時刻が録画終了時刻に達したたか否かを判別する（ステップＳＢ１１）。録画終了時刻に達したときは、録音時間をクリアし（ステップＳＢ１２）、テレビ受像部をオフにし（ステップＳＢ１３）、録画処理を終了する（ステップＳＢ１４）。また、フラグＲＦを「０」にリセットする（ステップＳＢ１５）。そして、表示エリアに待受画面の画像データをストアして（ステップＳＢ１６）、メインルーチンに戻る。
【００３４】
ステップＳＢ１１において、現時刻が録画終了時刻に達していない場合には、電圧レベルが変化したか否かを判別する（ステップＳＢ１７）。電圧レベルが変化したときは、その変化した電圧レベルに対応した解像度を読み出し（ステップＳＢ１８）、読み出された解像度で受像信号をエンコードする（ステップＳＢ１９）。そして、エンコードした映像信号に基づいて録画処理を続行する（ステップＳＢ２０）。この後は、メインルーチンに戻る。
【００３５】
図９は、着信検知処理のフローチャートである。ＲＦブロック４によって電話の着信を検知したときは、テレビ受像部がオンで地上波ディジタル放送を受信中であるか、又は、録画した映像信号の再生中であるか判別する（ステップＳＣ１）。受信中又は再生中である場合には、スピーカ１６又はイヤホン１７への音声出力を停止する（ステップＳＣ２）。音声出力を停止した後、又は、受信中および再生中のいずれでもない場合には、スピーカ１４又はイヤホン１５およびサブ表示部１４による着信報知を行う（ステップＳＣ４）。そして、オフフック操作がされたか否かを判別し（ステップＳＣ５）、オフフック操作がされたときは、着信報知を停止して発呼側との回線接続を行って通話処理に遷移する（ステップＳＣ６）。
【００３６】
通話処理においては、オンフック操作がされたか否かを判別し（ステップＳＣ７）、オンフック操作がされたときは、回線切断などの終話処理を行う（ステップＳＣ８）。次に、表示エリアの着信画面を消去する（ステップＳＣ９）。さらに、テレビ受像部がオンで地上波ディジタル放送を受信中であるか、又は、録画した映像信号の再生中であるか判別する（ステップＳＣ１０）。受信中又は再生中である場合には、音声出力を再開する（ステップＳＣ１１）。音声出力を再開した後、又は、受信中および再生中のいずれでもない場合には、メインルーチンに戻る。
【００３７】
以上のように、この実施形態によれば、通信網との間で電話やメールの無線通信を行うとともに、地上波ディジタル放送を受信可能な機能を持つ携帯電話において、ＣＰＵ１は、充電池２０から供給される電圧を検出し、その電圧が定格電圧の８０％より低下したことが検出されたときは、電圧の低下程度に応じて受信した地上波ディジタル放送の映像信号の画質を変化させて表示部１３に表示する。したがって、ユーザがテレビ画像を見ているときに、画質の要素である解像度が変化したことによって充電池２０の残量が少なくなったことを認識できるので、テレビ受像部をオフにすることで、受信処理や画像表示処理のために充電池２０の残量がなくなって電話やメールの送受信ができなくなるような事態を未然に防止できる。
この場合において、充電池２０から供給される電圧の低下程度に応じた画質の要素である解像度の変化程度を操作に応じて設定する。したがって、ユーザがテレビ画像を見ているときに、充電池２０の残量が少なくなったことをユーザ自身が設定した画質によって容易に認識できる。
【００３８】
上記実施形態においては、充電池２０から供給される電圧の低下を報知するために解像度を変化させる構成にしたが、表示する画像のフレーム数を間引きして、例えば、１秒間に２４フレームとする正規のフレームレートを、１秒間に２０フレーム、１５フレーム、１０フレームのように、電圧の低下程度に応じて変化させるような構成にしてもよい。この場合には、充電池２０から供給される電圧の低下に応じて、動画から静止画に近付くように目立った画質変化になるので、解像度の変化の場合と同様の効果が得られる。
【００３９】
なお、上記実施形態においては、ＲＯＭ２にあらかじめ記憶されている信号処理のプログラムをＣＰＵ１が実行する通信端末装置の発明について説明したが、着脱自在のメモリカードなどの外部記憶媒体から読み込まれた信号処理のプログラム、又は、ＲＦブロック４によってネットワークを介して外部のサーバーなどからダウンロードされた信号処理のプログラムを書き込み可能な不揮発性メモリなどで構成されたＲＯＭにインストールし、そのプログラムをＣＰＵ１が実行するような構成も可能である。この場合には、プログラムの発明を実現する。
【００４０】
すなわち、そのプログラムは、通信網との間で無線通信を行うとともに、テレビジョン放送を受信可能な通信端末装置における信号処理のプログラムであって、
電池から供給される電圧を検出する第１のステップと、第１のステップによって電池の電圧が所定値より低下したことが検出されたときは、電圧の低下程度に応じて受信したテレビジョン放送の映像信号の画質を変化させて表示手段に表示する第２のステップと、を実行する。
【００４１】
この場合において、受信したテレビジョン放送の映像信号を録画および再生する第３のステップをさらに有し、第２のステップは、第１のステップによって電池から供給される電圧が所定値より低下したことが検出されたときは、電圧の低下程度に応じて第３のステップによって得られる再生映像信号の画質を変化させて表示手段に表示する。
あるいは、第２のステップは、映像信号の解像度を粗くする信号処理によって画質を変化させる。
あるいは、第２のステップは、映像信号のフレーム数を間引きする信号処理によって画質を変化させる。
あるいは、電池から供給される電圧の低下程度に応じた画質の変化程度を操作に応じて設定する第４のステップをさらに有する。
【図面の簡単な説明】
【００４２】
【図１】本発明の通信端末装置の実施例における携帯電話の構成を示すブロック図。
【図２】本発明の実施形態における携帯電話の動作を示すＣＰＵのメインルーチンのフローチャート。
【図３】図２に続くＣＰＵのメインルーチンのフローチャート。
【図４】図３に続くＣＰＵのメインルーチンのフローチャート。
【図５】図４に続くＣＰＵのメインルーチンのフローチャート。
【図６】図５に続くＣＰＵのメインルーチンのフローチャート。
【図７】図６に続くＣＰＵのメインルーチンのフローチャート。
【図８】ＣＰＵのタイマインタラプトのフローチャート。
【図９】ＣＰＵの着信検知のフローチャート。
【符号の説明】
【００４３】
１  ＣＰＵ
２  ＲＯＭ
３  ＲＡＭ
４  ＲＦブロック
５  チューナ
６  ＯＦＤＭ復調部
７  映像復号部
８  音声復号部
９  スイッチ部
１０  カメラ
１１  メモリカードドライバ
１２  表示ドライバ
１３  表示部
１４  サブ表示部
１５  マイク
１６  スピーカ
１７  イヤホン
１８  折りたたみ機構・電源制御スイッチ
１９  電源ＩＣ
２０  充電池
２１  ＡＣアダプタ
【図１】
2005109616.tif 000003
【図２】
2005109616.tif 000004
【図３】
2005109616.tif 000005
【図４】
2005109616.tif 000006
【図５】
2005109616.tif 000007
【図６】
2005109616.tif 000008
【図７】
2005109616.tif 000009
【図８】
2005109616.tif 000010
【図９】
2005109616.tif 000011